(57)【要約】【課題】  聴診器を壁面に引っ掛けて保管可能な聴診器用支持具を提供する。【解決手段】  壁面への固定用の固定手段をベース部材１２に設け、ベース部材１２の左右両側部に左右１対のアーム部１３を設け、左右のアーム部１３の内側面に、チェストピース３を着脱自在に支持する支持部１４を形成し、左右のアーム部１３に、左右のイヤーチップ５が着脱自在に嵌合する嵌合孔１５を設けた。【選択図】        図１
0003111291.tif 000002
【実用新案登録請求の範囲】
【請求項１】
壁面への固定用の固定手段をベース部材に設け、
前記ベース部材の左右両側部に左右１対のアーム部を設け、
前記左右のアーム部の内側面に、チェストピースを着脱自在に支持する支持部を形成し、
前記左右のアーム部に、左右のイヤーチップが着脱自在に嵌合する嵌合孔を設けた、
ことを特徴とする聴診器用支持具。
【請求項２】
前記アーム部をベース部材とは別部材で構成して、アーム部を縦向きにした基準姿勢と、左右のアーム部の遊端部が相互に接近するようにアーム部を傾斜させた傾斜姿勢とにわたって回動自在に、アーム部をベース部材に枢支するとともに、左右のアーム部を基準姿勢側へ常時付勢するバネ部材を設けた請求項１記載の聴診器用支持具。
【請求項３】
前記支持部に、チェストピースのダイヤフラムの外縁部に係合して、前方へのチェストピースの脱落を規制する規制部を形成した請求項１又は２記載の聴診器用支持具。
【請求項４】
前記固定手段として、ヨーク付き永久磁石を設けた請求項１〜３のいずれか１項記載の聴診器用支持具。
【請求項５】
前記ヨーク付き永久磁石における壁面との接触部にフィルムを貼り付けた請求項４記載の聴診器用支持具。
【考案の詳細な説明】
【技術分野】
【０００１】
本考案は、聴診器を壁面等に引っ掛けて保管等するのに好適な聴診器用支持具に関する。
【背景技術】
【０００２】
一般に、医師や看護士による聴診器の取り扱い方法として、聴診器を使用するとき以外の就業中は、白衣等のポケットに丸めて入れたり、首に掛けたりして身に付ける方法が採用され、就業後は、机の引き出しやロッカー等に丸めて入れたり、ケーシング等に入れたりして保管する方法が採用されている。
【０００３】
また、前記聴診器として、使用時以外の就業中において、診察の邪魔になったり、落としたりすることを防止するため、聴診器の移動を拘束するためのフックを設けたり、紐を設けたりしたものも提案されている（例えば、特許文献１、２参照。）。
【０００４】
【特許文献１】登録実用新案第３０８９８０４号公報
【特許文献２】実公平４−３６８１４号公報
【考案の開示】
【考案が解決しようとする課題】
【０００５】
ところで、特許文献１、２記載のように、使用時以外の就業中における聴診器による各種課題を解決するための発明は種々なされているが、就業後における聴診器の保管に関しては、充分な検討がなされていないのが現状である。しかし、聴診器のダイヤフラムは直接的に患者に当て付けて使用する部分であり、またイヤーチップは医師や看護婦が自身の耳に挿入して使用する部分であるので、衛生面での改善の余地があるものと思料される。
【０００６】
本考案の目的は、聴診器を壁面等に引っ掛けて保管可能な聴診器用支持具を提供することである。
【課題を解決するための手段】
【０００７】
本考案に係る聴診器用支持具は、壁面への固定用の固定手段をベース部材に設け、前記ベース部材の左右両側部に左右１対のアーム部を設け、前記左右のアーム部の内側面に、チェストピースを着脱自在に支持する支持部を形成し、前記左右のアーム部に、左右のイヤーチップが着脱自在に嵌合する嵌合孔を設けたものである。
【０００８】
この支持具に聴診器を支持するときには、チェストピースを左右のアーム部間に支持させた状態で、両手で左右の耳用パイプの間隔を広げて、イヤーチップをアーム部の嵌合孔に嵌合させて支持することができ、支持具から聴診器を取り外すときには、反対に左右の耳用パイプの間隔を広げて、嵌合孔からイヤーチップを取り外した状態で、チェストピースを取り外して、支持具から聴診器を取り外すことになる。但し、支持具に対する聴診器の着脱方法は、利用者の好みに応じて適宜の手順で行うことができる。
【０００９】
この聴診器用支持具では、チェストピースを左右のアーム部の支持部に支持し、イヤーチップを左右のアーム部の嵌合孔にそれぞれ嵌合させて、聴診器を壁面等に支持できるので、患者の体に直接的に当て付けるダイヤフラムや、医師や看護士の耳に挿入されるイヤーチップが他物と接触することを防止でき、引き出し等に収納する場合と比較して、聴診器を衛生的に管理することが可能となる。しかも、チェストピースとイヤーチップを引っ掛けて聴診器を支持するので、安定的且つコンパクトに聴診器を支持することが可能となる。尚、本明細書において壁面とは、建築物の壁面以外に、ロッカーや机、棚やラックなどの外面を意味するものとする。
【００１０】
ここで、前記アーム部をベース部材とは別部材で構成して、アーム部を縦向きにした基準姿勢と、左右のアーム部の遊端部が相互に接近するようにアーム部を傾斜させた傾斜姿勢とにわたって回動自在に、アーム部をベース部材に枢支するとともに、左右のアーム部を基準姿勢側へ常時付勢するバネ部材を設けること、前記支持部に、チェストピースのダイヤフラムの外縁部に係合して、前方へのチェストピースの脱落を規制する規制部を形成すること、前記固定手段として、ヨーク付き永久磁石を設けること、前記ヨーク付き永久磁石における壁面との接触部にフィルムを貼り付けること、などが好ましい実施例である。
【考案の効果】
【００１１】
本考案に係る聴診器用支持具によれば、簡単な手順で聴診器を支持具に着脱できる。また、患者の体に直接的に当て付けるダイヤフラムや、医師や看護士の耳に挿入されるイヤーチップが他物と接触することを防止でき、引き出し等に収納する場合と比較して、聴診器を衛生的に管理することが可能となる。しかも、チェストピースとイヤーチップを引っ掛けて聴診器を支持するので、安定的且つコンパクトに聴診器を支持することが可能となる。
【００１２】
ここで、前記アーム部をベース部材とは別部材で構成して、アーム部を縦向きにした基準姿勢と、左右のアーム部の遊端部が相互に接近するようにアーム部を傾斜させた傾斜姿勢とにわたって回動自在に、アーム部をベース部材に枢支するとともに、左右のアーム部を基準姿勢側へ常時付勢するバネ部材を設けると、アーム部の回動により左右の嵌合孔間の間隔を調整して、サイズの異なる聴診器であっても確実に支持することができる。
【００１３】
また、前記支持部に、チェストピースのダイヤフラムの外縁部に係合して、前方へのチェストピースの脱落を規制する規制部を形成すると、チェストピースの脱落を規制部により効果的に防止できる。例えば、支持具に引っ掛けた聴診器に意図せずして衣服等が接触するなどして、聴診器に直接的に外力が作用した場合や、引き出しやロッカー扉の開閉時の振動が、机やロッカー等に固定した支持具に作用した場合における、チェストピースの脱落を効果的に防止できる。
【００１４】
更に、前記固定手段として、ヨーク付き永久磁石を設けると、机やロッカー、棚などの金属製の壁面に支持具を着脱自在に容易に固定することができる。また、この場合には、前記ヨーク付き永久磁石における壁面との接触部にフィルムを貼り付けることで、壁面に対して直接的にヨークが接触することを防止して、ヨークとの接触により壁面が傷つくことを防止できる。
【考案を実施するための最良の形態】
【００１５】
以下、本考案を実施するための最良の形態について図面を参照しながら説明する。
先ず、聴診器の構成について説明する。
図１に示すように、聴診器１は、ダイヤフラム２を備えたチェストピース３と、金属パイプからなる１対の耳パイプ４と、耳パイプ４の端部に固定したイヤーチップ５と、チェストピース３と耳パイプ４とを連通する柔軟な２本のチューブ６と、２本のチューブ６を結束する結束具７と、１対の耳パイプ４の位置関係を適正に設定するとともに、イヤーチップ５が適度な付勢力で耳に挿入されるように設定する板バネ８とを備えている。聴診器１としては、耳パイプ４とチェストピース３とを備えたものであれば、任意のサイズ、任意の構成の聴診器に本発明を適用することができ、例えば図１に示す聴診器１は、デュアルヘッドタイプの聴診器であるが、シングルヘッドタイプの聴診器に対しても本発明を同様に適用できる。
【００１６】
図１〜図５に示すように、聴診器用支持具１０は、壁面Ｗへの固定用の固定手段１１をベース部材１２に設け、ベース部材１２の左右両側部の前側に左右１対のアーム部１３を設け、左右のアーム部１３の内側面に、チェストピース３を着脱自在に支持する支持部１４を形成し、左右のアーム部１３に左右のイヤーチップ５が着脱自在に嵌合する嵌合孔１５を設けたものである。
【００１７】
ベース部材１２は、裏面を開口した扁平な箱状のハウジング１６と、ハウジング１６の裏面を閉鎖する裏面板１７とから扁平な中空箱状に構成され、ベース部材１２の下半部には左右両側へ膨出した枢支部１８が形成され、左右の枢支部１８の前側にはアーム部１３が左右に間隔をあけてそれぞれ設けられ、アーム部１３は枢支手段１９によりベース部材１２に対して回動自在に枢支されている。
【００１８】
枢支手段１９は、アーム部１３を縦向きにした図３に実線で図示の基準姿勢と、左右のアーム部１３の上端部（遊端部）が相互に接近するようにアーム部１３を傾斜させた図３に仮想線で図示の傾斜姿勢とにわたって、ベース部材１２に対してアーム部１３を回動自在に枢支するとともに、左右のアーム部１３を基準姿勢側へ常時付勢して、聴診器１を引っ掛けていないときには、アーム部１３を基準姿勢に保持するように構成されている。このように、基準姿勢と傾斜姿勢とにわたってアーム部が回動するので、イヤーチップ５が挿入される左右の嵌合孔１５間の距離を聴診器のサイズに応じて調整して、サイズの異なる聴診器でも無理なく支持することが可能となる。
【００１９】
枢支手段１９の具体的構成について説明すると、図２、図６に示すように、枢支部１８の前壁の略中央部には角穴２０が形成され、アーム部１３の下部には角穴２０を通ってベース部材１２内に延びる断面角形の軸部材２１が一体的に設けられ、軸部材２１の基部には角穴２０に嵌合する嵌合軸部２２が形成され、軸部材２１の先端側部分には角穴２０からの抜止部２３が形成されている。軸部材２１には軸方向に延びるスリット２４が形成され、このスリット２４の幅が狭くなるように軸部材２１を変形させながら、軸部材２１を角穴２０に装着できるように構成されている。また、角穴２０への装着後、軸部材２１が回転しようとすると、嵌合軸部２２の角部が角穴２０の辺に当接し、軸部材２１を構成する素材の弾性により、スリット２４の幅が狭くなる方向に軸部材２１が変形して、アーム部１３に対して基準姿勢へ復帰しようとする力が作用するように構成されている。
【００２０】
アーム部１３の下端近傍部には後方へ突出する規制突部２５が形成され、この規制突部２５がベース部材１２の外面に当接することで、基準姿勢よりも外側へのアーム部１３の回動が規制されている。軸部材２１の抜止部２３とハウジング１６の側壁部間には圧縮コイルバネからなるバネ部材２６が介装され、アーム部１３は、軸部材２１の素材の弾性を利用した基準姿勢側への付勢力に加えて、このバネ部材２６による付勢力で安定的に基準姿勢側へ付勢されている。但し、バネ部材２６を省略して、軸部材２１の素材の弾性を利用した付勢構造のみにより、アーム部１３を基準姿勢側へ付勢することも可能である。また、軸部材２１の素材の弾性を利用した付勢構造を省略して、バネ部材２６のみによりアーム部１３を基準姿勢側へ付勢することも可能である。更に、バネ部材２６としては、圧縮コイルバネ以外に引っ張りコイルバネや捩りバネ、板バネ等を用いることも可能である。また、枢支手段１９としては、前述のようにアーム部１３を回動自在に支持できるものであれば任意の構成のものを採用することができる。
【００２１】
図１〜図３に示すように、左右のアーム部１３の先端部には、イヤーチップ５が嵌合可能なサイズの有底な嵌合孔１５が、中心を左右方向にし且つ外側へ向けて開口するように形成され、左右のイヤーチップ５を左右の嵌合孔１５にそれぞれ嵌合させて、聴診器１の耳パイプ４側を支持できるように構成されている。
【００２２】
左右のアーム部１３の対向面は下端部側へ行くにしたがって相互に間隔が狭くなるように構成され、該対向面にはチェストピース３のダイヤフラム２の外縁部を下側から支持可能な支持部１４が形成され、支持部１４の前後方向の途中部にはチェストピース３の前方への脱落を規制するための規制部２７が形成されている。また、ベース部材１２の前壁部の下端部には左右１対のフック部２８が前方へ突出状に形成され、このフック部２８によりダイヤフラム２の下端部を受け止めることで、チェストピース３の下側への脱落及び前側への脱落を防止できるように構成されている。
【００２３】
固定手段１１について説明すると、図２、図４、図５に示すように、ベース部材１２の裏面板１７の略中央部には長方形状の開口部３０が形成され、ハウジング１６の前壁部の裏面側にはヨーク３１付きの永久磁石３２からなる周知の構成の磁石３３が接着剤などにより固定され、磁石３３の裏面側は開口部３０を通って外部に突出状に設けられ、磁石３３にはその裏面を覆うように保護フィルム３４が貼着されている。この固定手段１１では、机やロッカーなどの金属製の壁面Ｗに、保護フィルム３４を介在させた状態でヨーク３１を吸着保持させることで、支持具１０を着脱自在に固定できるように構成されている。但し、保護フィルム３４は、必須の構成ではなく、省略することも可能である。
【００２４】
永久磁石３２としては、アルニコ磁石、フェライト磁石、鉄・クロム・コバルト磁石、マンガン・アルミニウム・カーボン磁石、希土類磁石、ボンド磁石などの素材からなるものを採用できる。ヨーク３１としては、電磁軟鉄、珪素鋼板、構造材用炭素鋼などの素材からなるものを採用できる。保護フィルム３４としては、ポリエチレン、ポリエステル、ポリプロピレン、ナイロンなど合成樹脂フィルムや合成樹脂フィルムに金属箔をラミネートした積層フィルムなどを好適に利用できる。永久磁石３２、ヨーク３１、保護フィルム３４の形状やサイズは支持具１０の形状や聴診器１の質量等を考慮して任意に設定可能である。また、磁石３３に代えて、釘やビス、接着剤や両面テープ等の固定手段により、ベース部材１２を壁面Ｗに固定することも可能である。
【００２５】
尚、ベース部材１２及びアーム部１３の形状は任意に設定可能で、例えばベース部材１２及びアーム部１３をパンダやコアラ等の動物の胴体及び顔に模した形状に形成し、アーム部１３を動物の前足に模した形状に構成することができる。また、左右のアーム部１３の上端部をベース部材１２に回動自在に枢支して、アーム部１３の動きを動物の前足の動きに一層近づけることも可能である。更に、左右のアーム部１３の上端部をベース部材１２の下部に回動自在に枢支して、アーム部１３をベース部材１２から垂下させ、ベース部材１２を動物の顔に模した形状に形成するとともに、アーム部１３を動物等の前足に模した形状に形成することも可能である。更にまた、ベース部材１２及びアーム部１３を動物以外の各種物品に模した形状に形成することも可能で、例えば図７、図８に示す支持具１０Ａのように、ベース部材１２Ａを骨に模した形状に形成し、アーム部１３Ａを骨の端部を模した形状に形成し、アーム部１３Ａにダイヤフラム２の外縁部が嵌合する溝状の支持部１４Ａを形成することもできる。また、この支持具１０、１０Ａを医薬品等の販促商品として用いる場合には、医療関連の物品に模した形状に形成したり、薬品メーカーや薬品メーカーにおける取扱商品をイメージさせるような形状に形成したりすることもできる。更に、本実施例では、ベース部材１２、１２Ａとアーム部１３、１３Ａとを別部材で構成したが、ベース部材１２、１２Ａとアーム部１３、１３Ａとを合成樹脂材料からなる一体成形品で構成することも可能である。
【図面の簡単な説明】
【００２６】
【図１】聴診器を引っ掛けた状態での支持具の正面図
【図２】支持具の分解斜視図
【図３】支持具の正面図
【図４】支持具の背面図
【図５】壁面に取り付けた状態での支持具の側面図
【図６】バネ部材を組み付けた状態でのアーム部の背面図
【図７】他の構成の支持具の正面図
【図８】同支持具の斜視図
【符号の説明】
【００２７】
１      聴診器            ２      ダイヤフラム
３      チェストピース    ４      耳パイプ
５      イヤーチップ      ６      チューブ
７      結束具            ８      板バネ
１０    支持具            １１    固定手段
１２    ベース部材        １３    アーム部
１４    支持部            １５    嵌合孔
１６    ハウジング        １７    裏面板
１８    枢支部            １９    枢支手段
２０    角穴              ２１    軸部材
２２    嵌合軸部          ２３    抜止部
２４    スリット          ２５    規制突部
２６    バネ部材          ２７    規制部
２８    フック部
３０    開口部            ３１    ヨーク
３２    永久磁石          ３３    磁石
３４    保護フィルム
１０Ａ  支持具            １２Ａ  ベース部材
１３Ａ  アーム部          １４Ａ  支持部
【図１】
0003111291.tif 000003
【図２】
0003111291.tif 000004
【図３】
0003111291.tif 000005
【図４】
0003111291.tif 000006
【図５】
0003111291.tif 000007
【図６】
0003111291.tif 000008
【図７】
0003111291.tif 000009
【図８】
0003111291.tif 000010